(57)【要約】【課題】各検査に対する最新の医用画像ファイルに含まれる画像データを容易に取得することができる医用画像保管装置を提供する。【解決手段】第１又は第２の医用画像ファイルに含まれる画像データの識別情報を含む付帯情報を保存する付帯情報記憶部３１と、第２の医用画像ファイルに含まれる履歴データを分析する履歴データ分析部３２とを備え、履歴データ分析部３２は、画像診断装置１２０及び検像装置１３０から得られた各第１及び第２の医用画像ファイルの付帯情報を最新の付帯情報と識別して付帯情報記憶部３１に保存する。また、検像装置１３０から得られた第２の医用画像ファイルに含まれる履歴データに基づいて、付帯情報記憶部３１に保存されているその履歴データに更新する前の履歴データを含む付帯情報又はその第２の医用画像ファイルに更新される前の付帯情報を過去の付帯情報として識別して保存する。【選択図】図１
2010244199.tif 000002
【特許請求の範囲】
【請求項１】
被検体の検査により画像診断装置から得られた第１の医用画像ファイルに含まれる画像データを識別する新規識別情報を有する付帯情報、及び前記第１の医用画像ファイルから更新された第２の医用画像ファイルに含まれる画像データを識別する新規識別情報及び更新の履歴である履歴データを有する付帯情報を保存するための付帯情報記憶手段と、
前記付帯情報記憶手段に保存された付帯情報を含む前記第１又は第２の医用画像ファイルを保存する医用画像ファイル記憶手段と、
更新された前記第２の医用画像ファイルに含まれる履歴データに基づいて、前記医用画像ファイル記憶手段に保存された第１又は第２の医用画像ファイルが最新の医用画像ファイルであるか否かを判定する履歴データ分析手段とを
備えたことを特徴とする医用画像保管装置。
【請求項２】
前記履歴データ分析手段は、前記画像診断装置から得られた第１の医用画像ファイル及更新された前記第２の医用画像ファイルに含まれる付帯情報にＯＮにした最新フラグを設け、そのＯＮにした最新フラグを設けた付帯情報を前記付帯情報記憶手段に保存すると共に、その付帯情報に含まれる履歴データに更新される前の履歴データを有する前記付帯情報記憶手段に保存された付帯情報の最新フラグをＯＮからＯＦＦに変更することを特徴とする請求項１に記載の医用画像保管装置。
【請求項３】
前記履歴データ分析手段は、前記付帯情報記憶手段に保存された付帯情報の内、最新フラグＯＮの付帯情報を有する第１又は第２の医用画像ファイルが最新の医用画像ファイルであると判定するようにしたことを特徴とする請求項２に記載の医用画像保管装置。
【請求項４】
前記履歴データ分析手段は、最新の医用画像ファイルであると判定した前記付帯情報記憶手段に保存されている最新フラグＯＮの付帯情報を読み出して一覧にした最新の検査リストを作成するようにしたことを特徴とする請求項３に記載の医用画像保管装置。
【請求項５】
前記履歴データ分析手段は、前記付帯情報記憶手段に保存された付帯情報の内、最新フラグＯＦＦの付帯情報を有する第１又は第２の医用画像ファイルが過去の医用画像ファイルであると判定するようにしたことを特徴とする請求項２に記載の医用画像保管装置。
【請求項６】
前記履歴データ分析手段は、過去の医用画像ファイルであると判定した前記付帯情報記憶手段に保存された最新フラグＯＦＦの付帯情報を消去するようにしたことを特徴とする請求項５に記載の医用画像保管装置。
【請求項７】
被検体の検査により画像診断装置から得られた第１の医用画像ファイルに含まれる画像データを識別する新規識別情報を有する付帯情報、及び前記第１の医用画像ファイルから更新された第２の医用画像ファイルに含まれる画像データを識別する新規識別情報及び更新の履歴である履歴データを有する付帯情報を保存するための付帯情報記憶手段と、
前記付帯情報記憶手段に保存された付帯情報を含む前記第１又は第２の医用画像ファイルを保存する医用画像ファイル記憶手段と、
更新された前記第２の医用画像ファイルに含まれる履歴データに基づいて、前記医用画像ファイル記憶手段に保存された削除候補となる医用画像ファイルを求める履歴データ分析手段とを
備えたことを特徴とする医用画像保管装置。
【発明の詳細な説明】
【技術分野】
【０００１】
本発明は、医用画像ファイルを保管する医用画像保管装置に係り、特に画像診断装置及び検像装置から得られた医用画像ファイルを保管する医用画像保管装置に関する。
【背景技術】
【０００２】
Ｘ線診断装置、Ｘ線ＣＴ装置、ＭＲＩ装置、超音波診断装置、核医学診断装置等の画像診断装置では、ＤＩＣＯＭ（Ｄｉｇｉｔａｌ  ａｎｄｓ  ｆｏｒ  Ｍｅｄｉｃｉｎｅ）の規格に基づいて、診断目的や装置等で分類される検査毎に生成した画像データ及びこの画像データに付加された付帯情報により構成される医用画像ファイルを作成する。そして、作成された医用画像ファイルは、検像装置により検像された後、医用画像保管装置に保管されることが知られている（例えば、特許文献１参照。）。
【０００３】
画像診断装置、検像装置、及び医用画像保管装置の各装置間はネットワークで接続され、画像診断装置で作成された医用画像ファイルの検像により、画像データ及び検像の履歴である履歴データを含む付帯情報により構成される医用画像ファイルに更新する。そして、更新された医用画像ファイルが医用画像保管装置に保管される。
【０００４】
医用画像保管装置では、保管した医用画像ファイルの付帯情報に含まれる情報の一覧である検査リストの中から、所望の医用画像ファイルに対応する付帯情報を選択することにより、選択された付帯情報に対応する画像データを表示して、読影、診断、治療等に使用される。
【先行技術文献】
【特許文献】
【０００５】
【特許文献１】特開２００７−２３６６０３号公報
【発明の概要】
【発明が解決しようとする課題】
【０００６】
しかしながら、緊急を要するときには、画像診断装置で作成したオリジナルの医用画像ファイルを医用画像保管装置に保管した後に、その医用画像ファイルの検像が行われる。この場合、医用画像保管装置にはオリジナルの医用画像ファイルと検像により更新された医用画像ファイルが共存して保存されることになる。また、修正のため複数回の検像が行われたときには、検像毎に更新された複数の医用画像ファイルが共存して保存されることになる。
【０００７】
この場合、検査リストには１つの検査に対して同じ付帯情報又は一部が異なる付帯情報が表示されるので、検査リストの中から必要とする最新の医用画像ファイルに含まれる画像データを取得するのが困難となる。
【０００８】
本発明は、上記問題点を解決するためになされたもので、各検査に対する最新の画像データを容易に取得することができる医用画像保管装置を提供することを目的とする。
【課題を解決するための手段】
【０００９】
上記目的を達成するために、請求項１に記載の本発明の医用画像保管装置は、被検体の検査により画像診断装置から得られた第１の医用画像ファイルに含まれる画像データを識別する新規識別情報を有する付帯情報、及び前記第１の医用画像ファイルから更新された第２の医用画像ファイルに含まれる画像データを識別する新規識別情報及び更新の履歴である履歴データを有する付帯情報を保存するための付帯情報記憶手段と、前記付帯情報記憶手段に保存された付帯情報を含む前記第１又は第２の医用画像ファイルを保存する医用画像ファイル記憶手段と、更新された前記第２の医用画像ファイルに含まれる履歴データに基づいて、前記医用画像ファイル記憶手段に保存された第１又は第２の医用画像ファイルが最新の医用画像ファイルであるか否かを判定する履歴データ分析手段とを備えたことを特徴とする。
【００１０】
また、請求項７に記載の本発明の医用画像保管装置は、被検体の検査により画像診断装置から得られた第１の医用画像ファイルに含まれる画像データを識別する新規識別情報を有する付帯情報、及び前記第１の医用画像ファイルから更新された第２の医用画像ファイルに含まれる画像データを識別する新規識別情報及び更新の履歴である履歴データを有する付帯情報を保存するための付帯情報記憶手段と、前記付帯情報記憶手段に保存された付帯情報を含む前記第１又は第２の医用画像ファイルを保存する医用画像ファイル記憶手段と、更新された前記第２の医用画像ファイルに含まれる履歴データに基づいて、前記医用画像ファイル記憶手段に保存された削除候補となる医用画像ファイルを求める履歴データ分析手段とを備えたことを特徴とする。
【発明の効果】
【００１１】
本発明によれば、各検査により画像診断装置から得られた医用画像ファイル又は検像装置から得られた医用画像ファイルに含まれる付帯情報を最新の付帯情報として識別して保存すると共に、検像装置から得られた医用画像ファイルの付帯情報に含まれる履歴データに基づいて、予め保存されたその検査の付帯情報を過去の付帯情報として識別することができる。
【００１２】
これにより、画像診断装置から得られた医用画像ファイルと検像装置から得られた医用画像ファイルが共存した場合、又は検像装置から得られた複数の修正履歴を有する履歴情報が追加された複数の医用画像ファイルが共存した場合でも各検査の最新の医用画像ファイルに含まれる画像データを容易に取得することができる。
【図面の簡単な説明】
【００１３】
【図１】本発明の実施例に係る医用画像保管装置の構成を示すブロック図。
【図２】本発明の実施例に係る医用画像保管装置の動作を示すフローチャート。
【図３】本発明の実施例に係る画像診断装置により作成された第１の医用画像ファイルの構成の一例を示す図。
【図４】本発明の実施例に係る検像装置における検像により第１の医用画像ファイルから更新された第２の医用画像ファイルの構成の一例を示す図。
【図５】本発明の実施例に係る検像装置におけるｎ回目の検像により更新された第２の医用画像ファイルの構成の一例を示す図。
【発明を実施するための形態】
【００１４】
以下、本発明の実施例を、図１乃至図５を参照して説明する。
【実施例】
【００１５】
図１は、本発明の実施例に係る医用画像保管装置の構成を示したブロック図である。この医用画像保管装置１００はネットワーク１１０に接続され、このネットワーク１１０には画像診断装置１２０、検像装置１３０、ビューア１４０等が接続されている。なお、画像診断装置１２０には、Ｘ線診断装置、Ｘ線ＣＴ装置、ＭＲＩ装置、超音波診断装置、核医学診断装置等がある。
【００１６】
画像診断装置１２０では、例えばＲＩＳ（Ｒａｄｉｏｌｏｇｙ  Ｉｎｆｏｒｍａｔｉｏｎ  Ｓｙｓｔｅｍ）からのオーダにより検査を行い、その検査に対してＤＩＣＯＭの規格に基づく第１の医用画像ファイルを作成する。この第１の医用画像ファイルは、被検体の撮影により生成された画像データと、この画像データ及び前記検査を識別する固有のユニークＩＤである新規ＵＩＤ情報、並びに前記画像データの属性を示す情報等から成る新規付帯情報を備えた付帯情報とにより構成される。そして、作成した第１の医用画像ファイルを、ネットワーク１１０を介して検像装置１３０へ送信する。また、救急の被検体対応で緊急性が要求される第１の医用画像ファイルを、ネットワーク１１０を介して医用画像保管装置１００へ送信する。
【００１７】
検像装置１３０では、画像診断装置１２０からネットワーク１１０を介して送信された第１の医用画像ファイル、又は医用画像保管装置１００からネットワーク１１０を介して送信された緊急性が要求されるファイルとして一旦保管した第１の医用画像ファイルを検像する。
【００１８】
この検像により、第１の医用画像ファイルを、画像データ及び新規付帯情報の修正の必要がない場合には確定させて、第２の医用画像ファイルに更新する。また、第１の医用画像ファイルを、画像データの画質又は新規付帯情報の間違い等の修正の必要がある場合に修正した後に確定させて、第２の医用画像ファイルに更新する。更に、第１の医用画像ファイルを分割させる必要がある場合に画像データを分割する修正を行った後に確定させて、複数の第２の医用画像ファイルに更新する。
【００１９】
ここでは、第１の医用画像ファイルの更新の履歴として、検像前の新規付帯情報に含まれる新規ＵＩＤ情報に一致する旧ＵＩＤ情報を含む第１の履歴データにより構成される履歴データを作成する。次いで、作成した履歴データ及び検像により更新した新規付帯情報を付帯情報として、検像により更新した画像データに付加することにより構成される第２の医用画像ファイルに更新する。そして、更新した第２の医用画像ファイルを、ネットワーク１１０を介して医用画像保管装置１００へ送信する。
【００２０】
また、医用画像保管装置１００からネットワーク１１０を介して送信された第２の医用画像ファイルの修正を必要とする検像により、その第２の医用画像ファイルの画像データ又は新規付帯情報を修正した後に確定させて、第２の医用画像ファイルに更新する。
【００２１】
ここでは、検像前の第２の医用画像ファイルに含まれる履歴データに、その第２の医用画像ファイルの新規付帯情報に含まれる新規ＵＩＤ情報に一致する旧ＵＩＤ情報を含む第２の履歴データを追加して更新する。これにより、更新された履歴データは、第１及び第２の履歴データにより構成される。
【００２２】
次いで、更新した履歴データ及び検像により更新した新規付帯情報を付帯情報として、検像により更新した画像データに付加することにより構成される第２の医用画像ファイルに更新する。そして、更新した第２の医用画像ファイルを、ネットワーク１１０を介して医用画像保管装置１００へ送信する。
【００２３】
更に、医用画像保管装置１００からネットワーク１１０を介して送信された第２の医用画像ファイルの修正を必要とする第１の医用画像ファイルの検像から数えてｎ回目（２以上の整数）の検像により、（ｎ―１）回目の検像後の第２の医用画像ファイルの画像データ又は新規付帯情報を修正した後に確定させて、ｎ回目の検像後の第２の医用画像ファイルに更新する。
【００２４】
ここでは、（ｎ−１）回目の検像後の第２の医用画像ファイルに含まれる履歴データに、その第２の医用画像ファイルの新規付帯情報に含まれる新規ＵＩＤ情報に一致する旧ＵＩＤ情報を含む第ｎの履歴データを追加して更新する。これにより、更新された履歴データは、第１乃至第ｎの履歴データにより構成される。
【００２５】
次いで、更新した履歴データ及び検像により更新した新規付帯情報を付帯情報として、検像により更新した画像データに付加することにより構成される第２の医用画像ファイルに更新する。そして、更新した第２の医用画像ファイルを、ネットワーク１１０を介して医用画像保管装置１００へ送信する。
【００２６】
医用画像保管装置１００はネットワーク１１０を介して、画像診断装置１２０や検像装置１３０から送信された第１の医用画像ファイルや第２の医用画像ファイルの受信や、受信した第１の医用画像ファイルや第２の医用画像ファイルの画像診断装置１２０、検像装置１３０、及びビューア１４０等の各装置への送信を行う通信インターフェース１と、通信インターフェース１で受信した第１の医用画像ファイルや第２の医用画像ファイルを保存するファイル保管部２とを備えている。
【００２７】
また、ファイル保管部２に保存した第１の医用画像ファイルや第２の医用画像ファイルの管理を行うファイル管理部３と、ファイル保管部２に保管した第１の医用画像ファイルや第２の医用画像ファイルに含まれる画像データ等を表示する表示部４と、各種コマンド等の入力を行う操作部５と、通信インターフェース１、ファイル保管部２、及びファイル管理部３の各ユニットを統括して制御する制御部６とを備えている。
【００２８】
通信インターフェース１は画像診断装置１２０からネットワーク１１０を介して送信された各検査の第１の医用画像ファイルを最新の医用画像ファイルとして受信し、受信した第１の医用画像ファイルをファイル保管部２及びファイル管理部３へ出力する。また、検像装置１３０からネットワーク１１０を介して送信された各検査の第１の医用画像ファイルや第２の医用画像ファイルから更新された第２の医用画像ファイルを最新の医用画像ファイルとして受信し、受信した第２の医用画像ファイルをファイル保管部２及びファイル管理部３へ出力する。更に、ファイル保管部２から出力された第１の医用画像ファイルや第２の医用画像ファイルを、ネットワーク１１０を介して各装置へ送信する。
【００２９】
ファイル保管部２は、通信インターフェース１から出力された各第１及び第２の医用画像ファイルを保存するための光ディスク、磁気ディスク等の大容量のメモリデバイスを有する医用画像ファイル記憶部２１と、この医用画像ファイル記憶部２１に保存された各第１及び第２の医用画像ファイルの検索等を行うファイル検索部２２とを備えている。
【００３０】
ファイル検索部２２は、通信インターフェース１から出力された各第１及び第２の医用画像ファイルを医用画像ファイル記憶部２１に書き込み保存する。また、ファイル管理部３からの表示出力情報に基づいて、医用画像ファイル記憶部２１に保存された各第１及び第２の医用画像ファイルに含まれる画像データを読み出して表示部４に出力する。また、制御部６から供給される外部出力情報に基づいて、医用画像ファイル記憶部２１から各第１及び第２の医用画像ファイルを読み出して通信インターフェース１に出力する。
【００３１】
ファイル管理部３は、通信インターフェース１から出力された各第１及び第２の医用画像ファイルに含まれる付帯情報を保存するための付帯情報記憶部３１と、通信インターフェース１から出力された第２の医用画像ファイルに含まれる履歴データの分析等を行う履歴データ分析部３２とを備えている。
【００３２】
履歴データ分析部３２は、通信インターフェース１から出力された第１の医用画像ファイルや第２の医用画像ファイルに含まれる付帯情報に最新の医用画像ファイルの付帯情報であることを示すＯＮにした最新フラグを設け、そのＯＮにした最新フラグを設けた付帯情報を付帯情報記憶部３１に保存する。また、通信インターフェース１から出力された第２の医用画像ファイル含まれる履歴データに基づいて、付帯情報記憶部３１に保存されているその第２の医用画像ファイルに更新される前の医用画像ファイルに含まれていた付帯情報の最新フラグをＯＮからＯＦＦに変更する。
【００３３】
ここで、第２の医用画像ファイルに第１の履歴データのみが含まれている場合、その第２の医用画像ファイルに更新する前の第１の医用画像ファイルに含まれていた付帯情報、即ちその第１の履歴データに含まれる旧ＵＩＤ情報に一致する新規ＵＩＤ情報を含む付帯情報を付帯情報記憶部３１に保存された付帯情報の中から検索する。その検索した新規ＵＩＤ情報を含む付帯情報が付帯情報記憶部３１に保存されている場合、その付帯情報の最新フラグをＯＮからＯＦＦに変更する。また、第２の医用画像ファイルに第１乃至第ｎの履歴データが含まれている場合、その第２の医用画像ファイルに更新する前の第１の医用画像ファイルに含まれていた付帯情報又はその履歴データに更新される前の履歴データを含む付帯情報、即ち第１乃至第（ｎ−１）の履歴データに含まれる旧ＵＩＤ情報の少なくともいずれかに一致する新規ＵＩＤ情報を含む付帯情報を、付帯情報記憶部３１から検索する。そして、その一致する新規ＵＩＤ情報を含む付帯情報が付帯情報記憶部３１に保存されている場合に、その一致する新規ＵＩＤ情報を含む付帯情報の最新フラグをＯＦＦする。
【００３４】
そして、操作部５から最新の検査リストを表示させるための入力が行われると、履歴データ分析部３２は、通信インターフェース１から出力された第２の医用画像ファイルに含まれる履歴データに基づいて付帯情報記憶部３１に保存された付帯情報に設けた最新フラグから、医用画像ファイル記憶部２１に保存された第１の医用画像ファイルや第２の医用画像ファイルが最新の医用画像ファイルであるか否かを判定する。最新フラグＯＮの付帯情報を有する医用画像ファイルを最新の医用画像ファイルであると判定し、最新フラグＯＦＦの付帯情報を有する医用画像ファイルを過去の医用画像ファイルであると判定する。次いで、付帯情報記憶部３１に保存されている最新フラグＯＮの付帯情報に含まれている新規付帯情報の一部を読み出し、読み出した情報を一覧にした最新の検査リストを作成する。そして、作成した各検査リストを表示部４に出力する。
【００３５】
このように、医用画像ファイル記憶部２１に保存した医用画像ファイルに含まれる付帯情報に最新フラグを設けて付帯情報記憶部３１に保存することにより、付帯情報記憶部３１に保存された付帯情報の最新フラグから、医用画像ファイル記憶部２１に保存された医用画像ファイルが最新の医用画像ファイルであるか否かを判定し、判定した最新の医用画像ファイルの一覧を表す最新の検査リストを迅速に作成して表示部４に表示することができる。
【００３６】
また、操作部５から不要になった各第１及び第２の医用画像ファイルを消去する入力が行われると、履歴データ分析部３２は、通信インターフェース１から出力された第２の医用画像ファイルに含まれる履歴データに基づいて付帯情報記憶部３１に保存された付帯情報に設けた最新フラグから、医用画像ファイル記憶部２１に保存された削除候補となる医用画像ファイルを求める。そして、付帯情報記憶部３１に保存された付帯情報の内の最新フラグＯＦＦの付帯情報を有する医用画像ファイルを削除候補として求める。次いで、求めた最新フラグＯＦＦの付帯情報を付帯情報記憶部３１から消去すると共に、消去した付帯情報に含まれる情報をファイル検索部２２に出力する。ファイル検索部２２では、履歴データ分析部３２から出力された情報を含む削除候補の第１の医用画像ファイルや第２の医用画像ファイルを医用画像ファイル記憶部２１から消去する。
【００３７】
このように、医用画像ファイル記憶部２１に保存した医用画像ファイルに含まれる付帯情報に最新フラグを設けて付帯情報記憶部３１に保存することにより、付帯情報記憶部３１に保存された付帯情報の最新フラグから、医用画像ファイル記憶部２１に保存された削除候補となる医用画像ファイルを求め、求めた削除候補の医用画像ファイルを医用画像ファイル記憶部２１から迅速に消去することができる。
【００３８】
表示部４は、液晶パネル或いはＣＲＴのモニタ等を備え、ファイル管理部３の履歴データ分析部３２から出力される各検査リストを表示する。また、ファイル保管部２のファイル検索部２２から出力される画像データを表示する。
【００３９】
操作部５は、キーボード、マウス、各種スイッチ等の各入力デバイスを備えたインターラクティブなインターフェースであり、各検査リストを表示部４に表示させるための入力、表示部４に表示された各検査リストの中から新規付帯情報を選択する入力等を行う。
【００４０】
制御部６は、ＣＰＵと記憶回路等を備え、操作部５から入力される入力情報に基づいて通信インターフェース１、ファイル保管部２、及びファイル管理部３の各ユニットの制御などシステム全体の制御を行う。
【００４１】
以下、図１乃至図５を参照して、画像診断装置１２０で作成された第１の医用画像ファイル、検像装置１３０における検像により第１の医用画像ファイルから更新された第２の医用画像ファイル、及び検像装置１３０におけるｎ回目の検像により更新された第２の医用画像ファイルを受信した後に、表示部４に最新検査リストが表示されるまでの医用画像保管装置１００の動作の一例を説明する。
【００４２】
図２は、医用画像保管装置１００の動作を示すフローチャートである。図３は、画像診断装置１２０により作成された第１の医用画像ファイルの構成の一例を示す図である。図４は、検像装置１３０における検像により第１の医用画像ファイルから更新された第２の医用画像ファイルの構成の一例を示す図である。図５は、検像装置１３０におけるｎ回目の検像により更新された第２の医用画像ファイルの構成の一例を示す図である。
【００４３】
図２において、画像診断装置１２０では、被検体ＰＡの検査Ａにより第１の医用画像ファイルを作成し、作成した第１の医用画像ファイルを、例えば緊急性を要するためにネットワーク１１０を介して医用画像保管装置１００に送信する。画像診断装置１２０からネットワーク１１０を介して送信された第１の医用画像ファイルを受信することにより、医用画像保管装置１００は動作を開始する（ステップＳ１）。
【００４４】
図３は、画像診断装置１２０により作成された第１の医用画像ファイルの構成の一例を示した図である。この第１の医用画像ファイル７は、被検体ＰＡの検査Ａにより生成された画像データ７１、及びこの画像データ７１の識別情報及び属性を示す情報を含む付帯情報７２により構成される。
【００４５】
付帯情報７２は、新規付帯情報７３により構成される。新規付帯情報７３は、被検体ＰＡの検査Ａにより画像診断装置１２０で発行された固有のユニークＩＤから成る新規ＵＩＤ情報７４と、被検体ＰＡの検査Ａが行われた検査年月日、検査部位、検査Ａを発生させるオーダＩＤ、及びこのオーダＩＤにより発生した検査Ａを識別する固有のユニークＩＤである新規検査ＵＩＤ｛ＡＡ０｝を含む検査情報７５とにより構成される。
【００４６】
また、新規付帯情報７３は、被検体ＰＡを識別する被検体ＩＤ、氏名、性別、年齢、生年月日、身長、体重、住所等の被検体情報７６と、画像データ７１が生成されたときの撮影年月日、撮影を担当した技師、画像データの枚数等の画像情報７７と、画像データ７１を生成するための画像診断装置１２０の撮影条件である例えばＸ線診断装置における管電流、管電圧、撮影角度等の撮影情報７８とにより構成される。
【００４７】
新規ＵＩＤ情報７４は、新規検査ＵＩＤ｛ＡＡ０｝と、この新規検査ＵＩＤ｛ＡＡ０｝で識別される検査に属するシリーズを識別する固有のユニークＩＤである新規シリーズＵＩＤ｛ＢＡ０｝と、この新規シリーズＵＩＤ｛ＢＡ０｝で識別される各シリーズに属する画像データ７１を識別する固有のユニークＩＤである新規画像ＵＩＤ｛ＣＡ０｝とにより構成される。
【００４８】
通信インターフェース１は画像診断装置１２０からの被検体ＰＡの検査Ａに対して最新の医用画像ファイルである第１の医用画像ファイル７を受信する（図２のステップＳ２）。
【００４９】
そして、受信した第１の医用画像ファイル７をファイル保管部２及びファイル管理部３に出力する。ファイル保管部２のファイル検索部２２は、医用画像ファイル記憶部２１に通信インターフェース１から出力された第１の医用画像ファイル７を保存する（図２のステップＳ３）。
【００５０】
ファイル管理部３の履歴データ分析部３２は、通信インターフェース１から出力された第１の医用画像ファイル７に含まれる付帯情報７２にＯＮした最新フラグを設け、そのＯＮにした最新フラグを設けた付帯情報７２を付帯情報記憶部３１に保存する（図２のステップＳ４）。
【００５１】
このように、通信インターフェース１で受信した画像診断装置１２０からの被検体ＰＡの検査Ａに対して最新の第１の医用画像ファイル７に含まれる付帯情報７２にＯＮにした最新フラグを設けることにより、最新の付帯情報として識別して付帯情報記憶部３１に保存することができる。
【００５２】
次に、画像診断装置１２０では、被検体ＰＢの検査Ｂにより第１の医用画像ファイルを作成し、作成した第１の医用画像ファイルをネットワーク１１０を介して検像装置１３０に送信する。検像装置１３０では、画像診断装置１２０から受信した第１の医用画像ファイルを検像して、第２の医用画像ファイルに更新する。そして、更新した第２の医用画像ファイルをネットワーク１１０を介して医用画像保管装置１００に送信する。通信インターフェース１は、検像装置１３０からネットワーク１１０を介して送信された被検体ＰＢの検査Ｂに対して最新の第２の医用画像ファイルを受信する（図２のステップＳ５）。
【００５３】
図４は、検像装置１３０における検像により第１の医用画像ファイルから更新された第２の医用画像ファイルの構成の一例を示した図である。この第２の医用画像ファイル８は、被検体ＰＢの検査Ｂにより画像診断装置１２０で作成された第１の医用画像ファイルが、検像装置１３０の検像で確定されることにより、更新されたものである。
【００５４】
第２の医用画像ファイル８は、被検体ＰＢの検査Ｂで作成された第１の医用画像ファイルに含まれる画像データの検像により更新された画像データ８１と、その第１の医用画像ファイルに含まれる付帯情報の検像により更新された付帯情報８２により構成される。
【００５５】
付帯情報８２は、検像前の第１の医用画像ファイルの付帯情報に含まれる新規付帯情報の検像により更新された新規付帯情報８３と、検像の履歴である第１の履歴データ８３ａ１により構成される履歴データ８９とにより構成される。
【００５６】
新規付帯情報８３は、検像前の第１の医用画像ファイルに含まれる新規ＵＩＤ情報が更新された新規ＵＩＤ情報８４と、検像後の検査情報８５、被検体情報８６、画像情報８７、及び撮影情報８８とにより構成される。
【００５７】
新規ＵＩＤ情報８４は、検像前の第１の医用画像ファイルに含まれる被検体ＰＢの検査Ｂを識別する新規検査ＵＩＤが更新された新規検査ＵＩＤ｛ＡＢ１｝と、この新規検査ＵＩＤ｛ＡＢ１｝で識別される検査に属するシリーズを識別する固有のユニークＩＤである新規シリーズＵＩＤ｛ＢＢ１｝と、この新規シリーズＵＩＤ｛ＢＢ１｝で識別されるシリーズに属する画像データ８１を識別する固有のユニークＩＤである新規画像ＵＩＤ｛ＣＢ１｝とにより構成される。
【００５８】
検査情報８５は、新規検査ＵＩＤ｛ＡＢ１｝と、検像前の第１の医用画像ファイルの検査情報に含まれる新規検査ＵＩＤ以外の各情報が必要に応じて修正された後の情報により構成される。また、被検体情報８６、画像情報８７、及び撮影情報８８の各情報は、検像前の第１の医用画像ファイルに含まれる被検体情報、画像情報、及び撮影情報の各情報が必要に応じて修正された後の情報により構成される。
【００５９】
履歴データ８９を構成している第１の履歴データ８３ａ１は、検像の履歴として検像前の第１の医用画像ファイルに含まれる新規ＵＩＤ情報に一致する旧ＵＩＤ情報８４ａ１及び検像データ８４ｂ１により構成される。
【００６０】
そして、旧ＵＩＤ情報８４ａ１は、新規ＵＩＤ情報８４に含まれる新規検査ＵＩＤ｛ＡＢ１｝に更新される前の新規検査ＵＩＤに一致する旧検査ＵＩＤ｛ＡＢ０｝と、新規シリーズＵＩＤ｛ＢＢ１｝に更新される前の新規シリーズＵＩＤに一致する旧シリーズＵＩＤ｛ＢＢ０｝と、新規画像ＵＩＤ｛ＣＢ１｝に更新される前の新規画像ＵＩＤに一致する旧画像ＵＩＤ｛ＣＢ０｝とにより構成される。また、検像データ８４ｂ１は、検像により修正が行われなかった場合には無修正の情報を有し、検像により修正が行われた場合には修正箇所の修正前の情報を有する。
【００６１】
第２の医用画像ファイル８を受信した後、通信インターフェース１は第２の医用画像ファイル８をファイル検索部２２及び履歴データ分析部３２に出力する。ファイル検索部２２は、通信インターフェース１から出力された第２の医用画像ファイル８を医用画像ファイル記憶部２１に保存する（図２のステップＳ６）。
【００６２】
履歴データ分析部３２は、通信インターフェース１から出力された第２の医用画像ファイル８に含まれる履歴データ８９に基づいて、付加情報記憶部３１に保存されている付帯情報の最新フラグをＯＦＦにする。
【００６３】
ここで、履歴データ８９に含まれる第１の履歴データ８３ａ１の旧ＵＩＤ情報８４ａ１に一致する新規ＵＩＤ情報を含む付帯情報を付帯情報記憶部３１から検索する。そして、旧ＵＩＤ情報８４ａ１に一致する新規ＵＩＤ情報を含む付帯情報が付帯情報記憶部３１に保存されている場合（図２のステップＳ７のはい）、その一致する新規ＵＩＤ情報を含む付帯情報の最新フラグをＯＦＦにする（図２のステップＳ８）。また、旧付帯情報８４ａ１に一致する新規ＵＩＤ情報を含む付帯情報が付帯情報記憶部３１に保存されていない場合（図２のステップＳ７のいいえ）、ステップＳ９へ移行する。
【００６４】
なお、旧ＵＩＤ情報８４ａ１に含まれる旧検査ＵＩＤ｛ＡＢ０｝、或いは旧シリーズＵＩＤ｛ＢＢ０｝、或いは旧画像ＵＩＤ｛ＣＢ０｝のいずれかの旧ＵＩＤに一致する新規ＵＩＤを有する付帯情報を付帯情報記憶部３１から検索するように実施してもよい。
【００６５】
このように、通信インターフェース１で受信した検像装置１３０からの第２の医用画像ファイル８に含まれる履歴データ８９に基づいて、第２の医用画像ファイル８に更新される前の第１の医用画像ファイルに含まれる付帯情報が付帯情報記憶部３１に保存されている場合、その付帯情報を過去の付帯情報として識別することができる。
【００６６】
ステップＳ７の「いいえ」又はステップＳ８の後に、履歴データ分析部３２は、第２の医用画像ファイル８に含まれる付帯情報８２にＯＮした最新フラグを設け、そのＯＮにした最新フラグを設けた付帯情報８２を付帯情報記憶部３１に保存する（図２のステップＳ９）。
【００６７】
このように、通信インターフェース１で受信した第２の医用画像ファイル８に含まれる付帯情報８２にＯＮにした最新フラグを設けることにより、最新の付帯情報として識別して付帯情報記憶部３１に保存することができる。これにより、第２の医用画像ファイル８を最新の医用画像ファイルとして識別して医用画像ファイル記憶部２１に保存することができる。
【００６８】
次に、被検体ＰＣの検査Ｃにより画像診断装置１２０で作成され、検像装置１３０におけるより検像された（ｎ−１）回目の検像により更新された第２の医用画像ファイルが医用画像ファイル記憶部２１に保存されている。この第２の医用画像ファイルのｎ回目の検像を行うために、ファイル検索部２２により医用画像ファイル記憶部２１から読み出された第２の医用画像ファイルが通信インターフェース１からネットワーク１１０を介して検像装置１３０に送信される。
【００６９】
検像装置１３０では、医用画像保管装置１００から受信した第２の医用画像ファイルを検像して、ｎ回目の検像により第２の医用画像ファイルに更新する。そして、更新した第２の医用画像ファイルをネットワーク１１０を介して医用画像保管装置１００に送信する。通信インターフェース１は、検像装置１３０からネットワーク１１０を介して送信された被検体ＰＣの検査Ｃに対して最新のｎ回目の検像により更新された第２の医用画像ファイルを受信する（図２のステップＳ１０）。
【００７０】
図５は、検像装置１３０におけるｎ回目の検像により更新された第２の医用画像ファイルの構成の一例を示した図である。この第２の医用画像ファイル９は、被検体ＰＣの検査Ｃにより画像診断装置１２０で作成された第１の医用画像ファイルが、検像装置１３０のｎ回目の検像で確定されることにより、更新されたものである。
【００７１】
第２の医用画像ファイル９は、（ｎ−１）回目の検像により更新された第２の医用画像ファイルに含まれる画像データの検像により更新された画像データ９１、及びその第２の医用画像ファイルに含まれる付帯情報の検像により更新された付帯情報９２により構成される。
【００７２】
付帯情報９２は、（ｎ−１）回目の検像により更新された第２の医用画像ファイルの付帯情報に含まれる新規付帯情報の検像により更新された新規付帯情報９３と、１回目乃至ｎ回目の検像の履歴である第１乃至第ｎの履歴データ９３ａ１乃至９３ａｎからなる履歴データ９９とにより構成される。
【００７３】
新規付帯情報９３は、（ｎ−１）回目の検像により更新された第２の医用画像ファイルに含まれる新規ＵＩＤ情報が更新された新規ＵＩＤ情報９４と、ｎ回目の検像後の検査情報９５、被検体情報９６、画像情報９７、及び撮影情報９８とにより構成される。
【００７４】
新規ＵＩＤ情報９４は、（ｎ−１）回目の検像により更新された第２の医用画像ファイルに含まれる新規検査ＵＩＤが更新された固有のユニークＩＤである新規検査ＵＩＤ｛ＡＣｎ｝と、この新規検査ＵＩＤ｛ＡＣｎ｝で識別される検査に属するシリーズを識別する固有のユニークＩＤである新規シリーズＵＩＤ｛ＢＣｎ｝と、この新規シリーズＵＩＤ｛ＢＣｎ｝で識別される各シリーズに属する画像データ９１を識別する固有のユニークＩＤである新規画像ＵＩＤ｛ＣＣｎ｝とにより構成される。
【００７５】
検査情報９５は、新規検査ＵＩＤ｛ＡＣｎ｝と、（ｎ−１）回目の検像により更新された第２の医用画像ファイルの検査情報に含まれる新規検査ＵＩＤ｛ＡＣ（ｎ−１）｝以外の各情報が必要に応じて修正された後の情報により構成される。また、被検体情報９６、画像情報９７、及び撮影情報９８の各情報は、（ｎ−１）回目の検像により更新された第２の医用画像ファイルに含まれる被検体情報、画像情報、及び撮影情報の各情報が必要に応じて修正された後の情報により構成される。
【００７６】
履歴データ９９の第１の履歴データ９３ａ１は、１回目の検像の履歴として検像前の第１の医用画像ファイルに含まれる新規ＵＩＤ情報に一致する旧ＵＩＤ情報９４ａ１、及び１回目の検像データ９４ｂ１により構成される。
【００７７】
そして、旧ＵＩＤ情報９４ａ１は、１回目の検像前の第１の医用画像ファイルの新規ＵＩＤ情報に含まれる新規検査ＵＩＤに一致する旧検査ＵＩＤ｛ＡＣ０｝、新規シリーズＵＩＤに一致する旧シリーズＵＩＤ｛ＢＣ０｝、及び新規画像ＵＩＤに一致する旧画像ＵＩＤ｛ＣＣ０｝により構成される。また、検像データ９４ｂ１は、１回目の検像により修正が行われなかった場合には無修正の情報を有し、その検像により修正が行われた場合には修正箇所の修正前の情報を有する。
【００７８】
また、旧ＵＩＤ情報９４ａｎは、（ｎ−１）回目の検像により更新された第２の医用画像ファイルの新規ＵＩＤ情報に含まれる新規検査ＵＩＤに一致する旧検査ＵＩＤ｛ＡＣ（ｎ−１）｝、新規シリーズＵＩＤに一致する旧シリーズＵＩＤ｛ＢＣ（ｎ−１）｝、及び新規画像ＵＩＤに一致する旧画像ＵＩＤ｛ＣＣ（ｎ−１）｝により構成される。また、検像データ９４ｂｎは、ｎ回目の検像により修正が行われた場合の修正箇所の修正前の情報を有する。
【００７９】
通信インターフェース１は、検像装置１３０からネットワーク１１０を介して送信された被検体ＰＣの検査Ｃに対して最新のｎ回目の検像により更新された第２の医用画像ファイル９を受信して、ファイル検索部２２及び履歴データ分析部３２に出力する。ファイル検索部２２は、通信インターフェース１から出力された第２の医用画像ファイル９を医用画像ファイル記憶部２１に保存する（図２のステップＳ１１）。
【００８０】
履歴データ分析部３２は、通信インターフェース１から出力された第２の医用画像ファイル９の履歴データ９９に基づいて、付帯情報記憶部３１に保存されている付帯情報の最新フラグをＯＦＦにする。
【００８１】
ここで、履歴データ９９の第１乃至第（ｎ−１）の履歴データ９３ａ１乃至９３ａｎに含まれる旧ＵＩＤ情報９４ａ１乃至９４ａｎの少なくともいずれかに一致する新規ＵＩＤ報を含む付帯情報を付帯情報記憶部３１から検索する。そして、旧ＵＩＤ情報９４ａ１乃至９４ａｎの少なくともいずれかに一致する新規ＵＩＤ情報を含む付帯情報が付帯情報記憶部３１に保存されている場合（図２のステップＳ１２のはい）、その少なくともいずれかに一致する新規ＵＩＤ情報を含む付帯情報の最新フラグをＯＦＦする（図２のステップＳ１３）。
【００８２】
また、旧ＵＩＤ情報９４ａ１乃至９４ａｎの少なくともいずれかに一致する新規ＵＩＤ情報を含む付帯情報が付帯情報記憶部３１に保存されていない場合（図２のステップＳ１２のいいえ）、ステップＳ１４へ移行する。
【００８３】
なお、旧ＵＩＤ情報９４ａ１乃至９４ａｎに含まれる旧検査ＵＩＤ｛ＡＣ０｝乃至｛ＡＣ（ｎ−１）｝の少なくともいずれかに一致する新規ＵＩＤ情報を含む付帯情報を検索するように実施してもよい。また、旧シリーズＵＩＤ｛ＢＣ０｝乃至｛ＢＣ（ｎ−１）｝の少なくともいずれかに一致する新規ＵＩＤ情報を含む付帯情報を検索するように実施してもよい。更に、旧画像ＵＩＤ｛ＣＣ０｝乃至｛ＣＣ（ｎ−１）｝の少なくともいずれかに一致する新規ＵＩＤ情報を含む付帯情報を検索するように実施してもよい。
【００８４】
このように、通信インターフェース１から出力された第２の医用画像ファイル９に含まれる履歴データ９９に基づいて、履歴データ９９に更新される前の第１の医用画像ファイルに含まれる付帯情報、又は履歴データ９９に更新される前の履歴データを含む付帯情報が付帯情報記憶部３１に保存されている場合に、その付帯情報を過去の付帯情報として識別することができる。これにより、履歴データ９９に更新される前の第１の医用画像ファイルに含まれる付帯情報、又は履歴データ９９に更新される前の履歴データを含む付帯情報を有する医用画像ファイルを過去の医用画像ファイルとして識別して医用画像ファイル記憶部２１に保存することができる。
【００８５】
ステップＳ１２の「いいえ」又はステップＳ１３の後に、履歴データ分析部３２は、第２の医用画像ファイル９に含まれる付帯情報９２にＯＮした最新フラグを設け、そのＯＮにした最新フラグを設けた付帯情報９２を付帯情報記憶部３１に保存する（図２のステップＳ１４）。
【００８６】
このように、通信インターフェース１で受信した第２の医用画像ファイル９に含まれる付帯情報９２にＯＮにした最新フラグを設けることにより、最新の付帯情報として識別して付帯情報記憶部３１に保存することができる。これにより、第２の医用画像ファイル９を最新の医用画像ファイルとして識別して医用画像ファイル記憶部２１に保存することができる。
【００８７】
そして、医用画像保管装置１００は、次の操作部５からの入力、又は通信インターフェース１からの各第１及び第２の医用画像ファイルの受信、又は外部の各装置からの各第１及び第２の医用画像ファイルの送信依頼があるまで動作を停止する（図２のステップＳ１５）。
【００８８】
次に、ステップS１４の後に、操作部５から最新の検査リストを表示させるための入力が行われると、履歴データ分析部３２は、付帯情報記憶部３１に保存された付帯情報の中から、ＯＮの最新フラグを有する付帯情報の新規付帯情報に含まれる例えば検査年月日、氏名、被検体ＩＤ等の情報を読み出して最新検査リストを作成する。そして作成した最新検査リストを表示部４に表示出力する。
【００８９】
このように、付帯情報記憶部３１に最新フラグＯＮの付帯情報を保存することにより、最新の検査リストを迅速に作成して表示部４に表示することができる。
【００９０】
表示部４に表示された最新検査リストには、図３に示した第１の医用画像ファイル７の新規付帯情報７３に含まれる検査Ａの検査年月日、被検体ＰＡの氏名や被検体ＩＤ等の情報、図４に示した第２の医用画像ファイル８の新規付帯情報８３に含まれる検査Ｂの検査年月日、被検体ＰＢの氏名や被検体ＩＤ等の情報、及び図５に示した第２の医用画像ファイル９の新規付帯情報９３に含まれる検査Ｃの検査年月日、被検体ＰＣの氏名や被検体ＩＤ等の情報が含まれている。
【００９１】
そして、表示部４に表示された最新検査リストの中から例えば被検体ＰＡの新規付帯情報７３を選択する入力が操作部５から行われると、制御部６は選択された新規付帯情報７３を履歴データ分析部３２に供給する。履歴データ分析部３２は、選択された新規付帯情報７３に含まれる例えば新規画像ＵＩＤ｛ＣＡ０｝をファイル検索部２２に出力する。ファイル検索部２２は、履歴データ分析部３２から出力された新規画像ＵＩＤ｛ＣＡ０｝が付記された画像データ７１を読み出して表示部４に表示出力する。
【００９２】
次に、第１の医用画像ファイル７の検像を行うために、表示部４に表示された最新検査リストの中から新規付帯情報７３を選択して検像装置１３０へ送信するための入力を操作部５から行うと、ファイル検索部２２は、制御部６から供給される外部出力情報に基づいて、医用画像ファイル記憶部２１に保存された第１の医用画像ファイル７を読み出して通信インターフェース１に出力する。
【００９３】
通信インターフェース１は、ファイル検索部２２から出力された第１の医用画像ファイル７をネットワーク１１０を介して、検像装置１３０に送信する。検像装置１３０では、受信した第１の医用画像ファイル７を第２の医用画像ファイルに更新する。そして、更新した第２の医用画像ファイルを医用画像保管装置１００へ返信する。
【００９４】
通信インターフェース１は、検像装置１３０からネットワーク１１０を介して返信された被検体ＰＡの検査Ａに対して最新の第２の医用画像ファイルを受信して、ファイル検索部２２及び履歴データ分析部３２に出力する。ファイル検索部２２は、通信インターフェース１から出力された第２の医用画像ファイルを医用画像ファイル記憶部２１に保存する。
【００９５】
履歴データ分析部３２は、通信インターフェース１から出力された第２の医用画像ファイルの第１の履歴データに含まれる旧ＵＩＤ情報に一致する新規ＵＩＤ情報７４を含む付帯情報７２の最新フラグをＯＮからＯＦＦに変更する。また、その第２の医用画像ファイルに含まれる付帯情報にＯＮにした最新フラグを設け、そのＯＮにした最新フラグを設けた付帯情報を付帯情報記憶部３１に保存する。
【００９６】
次に、操作部５から不要になった各第１及び第２の医用画像ファイルを消去する入力が行われると、履歴データ分析部３２は、付帯情報記憶部３１に保存された最新フラグＯＦＦの付帯情報を消去すると共に、その付帯情報の例えば新規ＵＩＤ情報をファイル検索部２２に出力する。ファイル検索部２２は、履歴データ分析部３２から出力された新規ＵＩＤ情報を含む削除候補の各第１及び第２の医用画像ファイルを医用画像ファイル記憶部２１から消去する。
【００９７】
このように、操作部５からの簡単な操作により、付帯情報記憶部３１に保存された不要になった最新フラグＯＦＦの付帯情報を消去すると共に、医用画像ファイル記憶部２１に保存されたその付帯情報を含む削除候補の各第１及び第２の医用画像ファイルを消去することができる。
【００９８】
以上述べた本発明の実施例によれば、通信インターフェース１から出力された第１及び第２の医用画像ファイルに含まれる付帯情報にＯＮにした最新フラグを設け、そのＯＮにした最新フラグを設けた付帯情報を付帯情報記憶部３１に保存することができる。これにより、ＯＮにした最新フラグを設けた付帯情報を有する医用画像ファイルを最新の医用画像ファイルとして識別して医用画像ファイル記憶部２１に保存することができる。
【００９９】
また、通信インターフェース１から出力された第２の医用画像ファイルに含まれる履歴データに基づいて、付帯情報記憶部３１に保存されているその第２の医用画像ファイルに更新される前の医用画像ファイルに含まれていた付帯情報の最新フラグをＯＮからＯＦＦに変更することができる。これにより、ＯＦＦに変更した最新フラグを設けた付帯情報を有する医用画像ファイルを過去の医用画像ファイルとして識別して医用画像ファイル記憶部２１に保存することができる。
【０１００】
更に、通信インターフェース１から出力された第２の医用画像ファイルに含まれる履歴データに基づいて付帯情報記憶部３１に保存された付帯情報に設けた最新フラグから、医用画像ファイル記憶部２１に保存された医用画像ファイルが最新の医用画像ファイルであるか否かを判定し、判定した最新の医用画像ファイルの一覧を表す最新の検査リストを作成して表示部４に表示することができる。
【０１０１】
更にまた、通信インターフェース１から出力された第２の医用画像ファイルに含まれる履歴データに基づいて付帯情報記憶部３１に保存された付帯情報に設けた最新フラグから、医用画像ファイル記憶部２１に保存された削除候補となる医用画像ファイルを求め、求めた削除候補の医用画像ファイルを医用画像ファイル記憶部２１から消去することができる。
【０１０２】
以上により、画像診断装置１２０から得られた第１の医用画像ファイルと検像装置１３０から得られた第２の医用画像ファイルが共存した場合、又は検像装置１３０から得られた複数回の検像により更新された複数の第２の医用画像ファイルが共存した場合でも各検査の最新の第２の医用画像ファイルに含まれる画像データを容易に取得することができる。
【符号の説明】
【０１０３】
１  通信インターフェース
２  ファイル保管部
３  ファイル管理部
４  表示部
５  操作部
６  制御部
２１  医用画像ファイル記憶部
２２  ファイル検索部
３１  付帯情報記憶部
３２  履歴データ分析部
１００  医用画像保管装置
１１０  ネットワーク
１２０  画像診断装置
１３０  検像装置
１４０  ビューア
【図１】
2010244199.tif 000003
【図２】
2010244199.tif 000004
【図３】
2010244199.tif 000005
【図４】
2010244199.tif 000006
【図５】
2010244199.tif 000007